(57)【要約】【課題】ラック内に空間があっても雑誌、本、ファイル等を倒れずに、安定して立たせるマガジンラック構造を提供する。【解決手段】マガジンラック構造は、マガジンラック本体、直棒固定板、凸段及び長方形横孔が成形された二枚の横板、二組のＵ字型バネ紐から構成される。そのうち、一組のＵ字型バネ紐の一端は直棒固定板一端に連接し、別一端はマガジンラック本体と横板間の挟持層内のラック上に連接し、別の一組も同じである。雑誌等を直棒固定板からラック内へ入れると、直棒固定板両端に固定されている二組のＵ字型バネ紐が動き、バネの張力によって直棒固定板が雑誌等を押さえ、ラック左側に安定整列して立たせる。【選択図】図１
0003109629.tif 000002
【実用新案登録請求の範囲】
【請求項１】
１冊から複数冊の雑誌、本、ファイルを安定配列して立たせるマガジンラック構造において、
直角起立式一体成型のマガジンラック本体と、
直棒固定板と、
凸段面をマガジンボックスの凹槽段に嵌合して固定し、横板は適する位置に長方形横孔を貫設し、そこに直棒固定板を挿し込み、二組のＵ字型バネ紐の紐カバーを直棒固定板両端に固定するする横板から構成されることを特徴とするマガジンラック構造。
【請求項２】
前記マガジンボックス及び直棒固定板、横板は、プラスチック材、金属材もしくは木材から作られることを特徴とする請求項１記載のマガジンラック構造。
【請求項３】
前記二つのバネ紐は、予め加工成形されたＵ字型バネ紐に変更することを特徴とする請求項１記載のマガジンラック構造。
【考案の詳細な説明】
【技術分野】
【０００１】
本考案は、マガジンラック構造に関するもので、雑誌、書籍、ファイル等をラック内に空間があっても収納、閲覧に便利で、且つ綺麗に収納するものである。
【背景技術】
【０００２】
今日、各種各様の雑誌が出回っており、人々は何冊もの雑誌を購入する。しかし、収納する時、マガジンラックにきちんと立たず、傾斜したり、折れ曲ったりするので、読むときに不便である。
同じくファイルに収納する場合も同じ問題が発生する。ファイルボックスにしまう場合、その箱がいっぱいになっていないと、あちらこちらに倒れて雑然としてしまう。しかしながら、現在これらの欠点を改善するマガジンラックは出ていない。
【０００３】
台湾に於いて、実用新案登録されているマガジンラックは、幅や高さの異なる雑誌、書籍を収納できるようになっているが、はやり冊数が少ないと、雑誌や書籍が倒れたり、折れ曲ったりする問題を解決していない。
【０００４】
また、同じく台湾に於いて、実用新案登録されているマガジンラック構造は、雑誌を平積みするので倒れることはないが、雑誌の背が隠れてしまうので、雑誌を選ぶ時にわかりにくく、且つ上に載っている雑誌を全て取り出してやっと目的の雑誌を取り出すことができるので、面倒である。
【特許文献１】台湾実用新案登録第５９２０７５号公報
【特許文献２】台湾実用新案登録第５２２８０４号公報
【考案の開示】
【考案が解決しようとする課題】
【０００５】
解決しようとする問題点は、箱内に空間があると、収納時に雑誌が倒れたり、折れ曲ったりして読みにくくなり、また雑然としてしまい、また平積みの場合は目的の雑誌がすぐに取り出せない点である。
【課題を解決するための手段】
【０００６】
本考案は、マガジンラック本体、直棒固定板、凸段及び長方形横孔が成形された二枚の横板、二組のＵ字型バネ紐から構成される。そのうち、一組のＵ字型バネ紐の一端は直棒固定板一端に連接し、別一端はマガジンラック本体と横板間の挟持層内のラック上に連接し、別の一組も同じである。雑誌等を直棒固定板からラック内へ入れると、直棒固定板両端に固定されている二組のＵ字型バネ紐が動き、バネの張力によって直棒固定板が雑誌等を押さえ、ラック左側に安定整列して立たせることを最も主要な特徴とする。
すなわち、請求項１に記載のマガジンラック構造は、１冊から複数冊の雑誌、本、ファイルを安定配列して立たせるマガジンラック構造において、直角起立式一体成型のマガジンラック本体と、直棒固定板と、凸段面をマガジンボックスの凹槽段に嵌合して固定し、横板は適する位置に長方形横孔を貫設し、そこに直棒固定板を挿し込み、二組のＵ字型バネ紐の紐カバーを直棒固定板両端に固定するする横板から構成されることを特徴とする。
請求項２に記載するように、前記マガジンボックス及び直棒固定板、横板は、プラスチック材、金属材もしくは木材から作られることを特徴とする。
請求項３に記載するように、前記二つのバネ紐は、予め加工成形されたＵ字型バネ紐に変更することを特徴とする。
【考案の効果】
【０００７】
本考案のマガジンラック構造は、雑誌、書籍、ファイル等をラック内に空間があっても収納、閲覧が便利で、且つ綺麗に収納するという利点がある。
【考案を実施するための最良の形態】
【０００８】
図１に示すとおり、本考案のマガジンラック１０は一体成型で、雑誌、書籍、ファイル等を収納する。このマガジンラック左右両面板には四つの凹槽段１１が成形され、マガジンラック背面部には二つの掛合孔１２が成形され、その孔は壁掛け時に使用する。マガジンラック底部には二本の滑止台１３が設置され、マガジンラック自体が滑らないようにしている。
【０００９】
図２及び図４に示すとおり、マガジンラック１０左右四つの凹槽段１１を前後二枚の横板３０に設置されている凸段３３に嵌合する。その横板３０の上方は円弧面３１を形成しており、円弧面３１下方には長方形横孔３２が貫設され、そこに直棒固定板２０の両端を差し込む。更に紐カバー５０を横板３０上に固定する。そのうち、直線棒固定板２０の傾斜角度は凡そ右に４５度傾斜し、書籍、ファイル等を入れた時の直線棒固定板の強度を高める。
【００１０】
直棒固定板２０を二枚の前後横板３０の長方形横孔３２に挿し込み、エの字型に組み立て、直棒固定板２０が前後に移動し、また二組のＵ字型バネ紐４０を設置する。そのうち、一組のＵ字型バネ紐４０の一端は直棒固定板２０の一端の紐カバー５０に連接し、別一端はマガジンボックスの紐カバー５１の挟持層６０内に連接する。別の一組のＵ字型バネ紐も同じである。二組のＵ字型バネ紐に依るエの字型装置は、横板の凸段をマガジンボックス主体両側の凹槽段１１に嵌合することによって、前後二枚の横板の円弧面とマガジンボックス主体とで形成する挟持層６０は、Ｕ字型バネ紐及び紐カバーの厚みであり、図３Ａ及び図３Ｂに示す。
【００１１】
雑誌、本、ファイル等を直棒固定板２０からマガジンボックス内へ入れると、直棒固定板２０両端に固定されている二組Ｕ字型バネ紐４０が動き、バネの張力を利用して相互に押し合い、直棒固定板２０で雑誌、本、ファイル等を押さえ、ボックス左側でまっすぐに立てて固定する。図５に示すのは、正面から見た実施例使用指示図１である。雑誌等を収納する時、一冊の場合はＵ字型バネ紐４０の張力は小さく、冊数が多くなる毎にＵ字型バネ紐４０の圧力が大きくなり、張力も大きくなる。直棒固定板２０の戻り力が大きくなっていくため、雑誌等が傾斜したり、曲がったり、倒れてしまったりすることない。図６は本考案の正面から見た実施例使用指示図２である。
【００１２】
マガジンボックス内の雑誌、本、ファイルを取り出す時、Ｕ字型バネ紐４０の圧力が変化し、同時に張力も変わり、ボックス内の雑誌、本、ファイルを直棒固定板２０で押す。
【図面の簡単な説明】
【００１３】
【図１】本考案の立体構造図である。
【図２】本考案の具体的実施例立体分解図である。
【図３】（Ａ）、（Ｂ）は本考案の局部拡大指示図である。
【図４】本考案の部品分解指示図である。
【図５】本考案の正面からの実施例使用指示図一である。
【図６】本考案の正面からの実施例使用指示図二である。
【符号の説明】
【００１４】
１０        マガジンラック
１１        凹槽段
１２        掛合孔
１３        滑止台
２０        直棒固定板
３０        横板
３１        円弧面
３２        長方形孔
３３        凸段
４０        Ｕ字型バネ紐
５０        紐カバー
５１        紐カバー
６０        挟持層
【図１】
0003109629.tif 000003
【図２】
0003109629.tif 000004
【図３】
0003109629.tif 000005
【図４】
0003109629.tif 000006
【図５】
0003109629.tif 000007
【図６】
0003109629.tif 000008